(57)【要約】【課題】施工性が良好で、施工後の外観品質も良好なものとすることが出来、開口部の開閉性を損なうことなく、断熱性を向上させることが、出来、既存の建物の改修工事に用いて好適な開口部の断熱構造及び該断熱構造を用いた開口部の断熱工法を提供する。【解決手段】住宅１０の窓開口部１２に装着される窓サッシ部材１４が、窓開口部１２周囲に固着されるサッシ枠体１５及び、可動可能に設けられる窓ガラス部材１６を有する開口部の断熱構造である。  窓サッシ部材１４には、前記窓ガラス部材１６の可動範囲を妨げない範囲で、断熱塗装層２０が塗布されている。  断熱塗装層２０は、複数層の塗布層２１，２１が重なって構成され、光を反射すると共に、断熱効果を有する中空ビーズ２１ａ…が含有されている。【選択図】  図１
2010248852.tif 000002
【特許請求の範囲】
【請求項１】
断熱塗装層が塗布された金属製枠体を有することを特徴とする開口部の断熱構造。
【請求項２】
建物の開口部に取り付けられるサッシ部材が、開口部周囲に固着されるサッシ枠体及び、該サッシ枠体に可動可能に設けられる障子部材を有する開口部の断熱構造であって、
前記サッシ部材には、前記障子部材の可動範囲を妨げない範囲で、断熱塗装層が塗布されていることを特徴とする請求項１記載の開口部の断熱構造。
【請求項３】
前記断熱塗装層は、複数層の塗布層が重なって構成されることを特徴とする請求項１又は２記載の開口部の断熱構造。
【請求項４】
前記断熱塗装層は、光を反射すると共に、断熱効果を有する中空ビーズを含有することを特徴とする請求項１乃至３のうち、何れか一項記載の断熱構造。
【請求項５】
前記断熱塗装層の表面側には、色彩を前記開口部周囲の色彩と調整する調整仕上げ塗装層が設けられていることを特徴とする請求項１乃至４のうち、何れか一項記載の開口部の断熱構造。
【請求項６】
断熱塗装層が、塗布された金属製枠体を有することを特徴とする請求項１乃至５記載の開口部の断熱構造に用いるサッシ部材。
【請求項７】
建物の開口部に、前記サッシ部材が取り付けられた状態で、断熱塗料を塗布することにより、前記断熱塗装層を形成することを特徴とする請求項１乃至５のうち、何れか一項記載の開口部の断熱工法。
【発明の詳細な説明】
【技術分野】
【０００１】
本発明は、建物の窓部等の開口部に用いられる開口部の断熱構造に関し、特に、既存の建物の改修工法として用いて好適な開口部の断熱工法に関するものである。
【背景技術】
【０００２】
従来から、住宅等、建物の開口部には、アルミサッシ部材が装着されている。
【０００３】
このアルミサッシ部材は、主に、窓ガラス等の周囲に装着されるアルミニウム等の軽金属製の窓枠材で、障子部材を、前記開口周縁部に固着される軽金属製のサッシ枠材によって、開閉可能に支持するように構成されている。
【０００４】
また、建物内外の断熱性能を向上させる為、断熱塗料を、建物の内外壁面に塗布するものが知られている（例えば、特許文献１参照。）。
【０００５】
更に、建物の耐火目的で、サッシ部材に、耐火塗料を塗布するものも知られている（例えば、特許文献２参照。）。
【０００６】
このようなものでは、耐火塗料が表面に塗布されたサッシ部材の耐火性が向上する。
【特許文献１】特開平１０−１５２６４８号公報
【特許文献２】特開２００４−１６９４５４号公報
【発明の概要】
【発明が解決しようとする課題】
【０００７】
しかしながら、図８に示すように、耐火目的で、サッシ部材１に、耐火塗料２を塗布したものでは、この耐火塗料２に含まれる一般の顔料２ａ…が、屋外３からの太陽光等の赤外線４の照射を受けて、加熱されてしまう。
【０００８】
このため、前記サッシ部材１を介して、屋外３から、屋内５に伝達される熱量６…が多くなってしまう。
【０００９】
また、暖房時等、屋内５の温度が高い場合も、断熱性能を向上させることが困難で、結露及びエネルギーロスが発生してしまう虞があった。
【００１０】
更に、一旦、サッシ枠材が、建物の開口部に固着された既存のサッシ構造に、リフォーム等によって、断熱改修工事を行う際には、別途、前記サッシ部材又は、障子部材に適合した断熱部材が、このサッシ部材１に添着若しくは、貼設される。
【００１１】
この場合、サッシ部材１の形状に合わせた断熱部材を用いなければ、前記窓ガラスの周囲に設けられたサッシ枠材を開閉動作させる際に、干渉してしまう虞があり、施工現場での断熱材料の加工を必要とすると共に、施工性が良好であるとは言い難かった。
【００１２】
更に、断熱部材として用いる断熱材料の種類が限られてしまうので、既存の建物の開口部周縁の色彩に、この断熱部材の色彩を合わせることが困難で、外観品質が良好でなくなってしまう虞もあった。
【００１３】
本発明は、前記課題を解決するためになされたものであり、施工性が良好で、施工後の外観品質も良好なものとすることが出来、開口部の開閉性を損なうことなく、断熱性を向上させることが出来、既存の建物の改修工事に用いて好適な開口部の断熱構造及び該断熱構造を用いた開口部の断熱工法を提供するものである。
【課題を解決するための手段】
【００１４】
前記課題を解決するため、請求項１に係る発明は、断熱塗装層が塗布された金属製枠体を有する開口部の断熱構造を特徴としている。
【００１５】
また、請求項２に記載されたものは、建物の開口部に取り付けられるサッシ部材が、開口部周囲に固着されるサッシ枠体及び、該サッシ枠体に可動可能に設けられる障子部材を有する開口部の断熱構造であって、前記サッシ部材には、前記障子部材の可動範囲を妨げない範囲で、断熱塗装層が塗布されている請求項１記載の開口部の断熱構造を特徴としている。
【００１６】
更に、請求項３に記載されたものは、前記断熱塗装層は、複数層の塗布層が重なって構成される請求項１又は２記載の開口部の断熱構造を特徴としている。
【００１７】
そして、請求項４に記載されたものは、前記断熱塗装層は、光を反射すると共に、断熱効果を有する中空ビーズを含有する請求項１乃至３のうち、何れか一項記載の断熱構造を特徴としている。
【００１８】
また、請求項５に記載されたものは、前記断熱塗装層の表面側には、色彩を前記開口部周囲の色彩と調整する調整仕上げ塗装層が設けられている請求項１乃至４のうち、何れか一項記載の開口部の断熱構造を特徴としている。
【００１９】
更に、請求項６に記載されたものは、断熱塗装層が、塗布された金属製枠体を有する請求項１乃至５記載の開口部の断熱構造に用いるサッシ部材を特徴としている。
【００２０】
そして、請求項７に記載されたものは、建物の開口部に、前記サッシ部材が取り付けられた状態で、断熱塗料を塗布することにより、前記断熱塗装層を形成する請求項１乃至５のうち、何れか一項記載の開口部の断熱工法を特徴としている。
【発明の効果】
【００２１】
本発明の請求項１に記載されたものによれば、開口部に設けられた金属製枠体に、断熱塗装層が塗布されることにより、形成されている。
【００２２】
このため、前記サッシ部材が、アルミニウム等の軽金属製によって構成されて、熱伝導率が高くても、内外に伝達される熱量を効率的に減少させることが出来、建物の開口部の断熱性能を向上させることが出来る。
【００２３】
また、請求項２に記載されたものは、前記サッシ部材に塗布された断熱塗装層によって、建物の開口部の断熱が行われる。
【００２４】
ここで、前記サッシ部材の断熱塗装層が塗布される部分としては、前記サッシ枠体又は、障子部材の窓枠材が含まれる。
【００２５】
前記断熱塗装層は、前記障子部材の可動範囲を妨げない範囲で、塗布により、適宜、形成されるので、前記サッシ部材が、アルミニウム等の軽金属製によって構成されて、熱伝導率が高くても、内外に伝達される熱量を効率的に減少させることが出来る。
【００２６】
また、塗装により、略施工が完了するので、施工性が良好である。
【００２７】
しかも、塗装色を調整するだけで、周囲の色彩と合わせることが出来、断熱性を損なわずに、施工後の外観品質も良好なものとすることが出来る。
【００２８】
また、前記障子部材の可動範囲を妨げない範囲で、塗布により断熱塗装層が形成されているので、開口部の開閉性を損なう虞が無い。
【００２９】
よって、容易に、断熱性を向上させて、結露及びエネルギーロスの発生を防止出来る。
【００３０】
更に、請求項３に記載されたものは、前記断熱塗装層が、複数層の塗布層を重ねて構成できるので、厚さの調整が容易に行えて、必要となる断熱性能を容易に得られる。
【００３１】
また、請求項４に記載されたものは、前記断熱塗装層に含有された中空ビーズが、太陽光を反射すると共に、断熱効果を有する。
【００３２】
このため、太陽光に含まれる赤外線波長領域の光によって、断熱塗装層内の温度が上昇する虞が無く、前記サッシ部材を介して、建物内外に伝導される熱量を減少させることができる。
【００３３】
そして、請求項５に記載されたものは、前記断熱塗装層の表面側に設けられた調整仕上げ塗装層が、色彩を前記開口部周囲の色彩と、例えば、近似するように、或いは、違和感の無いように調整する。
【００３４】
このため、断熱塗装層は、如何なる色彩を有していても、表面に設けられた調整仕上げ層に隠れて見えないので外観品質を良好なものとすることができる。
【００３５】
従って、反射する光の領域、吸熱した熱を放出する光の領域に、対応した色彩を前記断熱塗装層を構成する塗料に与えることが可能となり、更に、断熱性を良好なものとすることができる。
【００３６】
更に、請求項６に記載されたものは、既存の建物の開口部に装着されているサッシ部材であっても、断熱塗料が塗布されることにより、前記断熱塗装層が形成される。
【００３７】
このため、リフォーム等の既存の建物の改修工事を行う際にも、前記サッシ枠体に、障子部材を装着したまま、断熱塗料を、前記サッシ部材に塗布すれば良く、分解、組立や或いは、他の断熱部材の形状を適合させて、装着する等の工程数を減少させて、容易に、開口部に断熱構造を与えることが出来る。
【図面の簡単な説明】
【００３８】
【図１】本発明の実施の形態の開口部の断熱構造及び該断熱構造を用いた開口部の断熱工法で、断熱塗料が塗布されて、複数の断熱塗装層が形成されたサッシ部材の要部の拡大断面図である。
【図２】実施の形態の開口部の断熱構造が用いられる建物の正面図である。
【図３】実施の形態の実施例１の開口部の断熱構造で、図２中Ａ−Ａ線に相当する位置での断面図である。
【図４】実施の形態の実施例１の開口部の断熱構造で、図２中Ｂ−Ｂ線に相当する位置での断面図である。
【図５】実施の形態の開口部の断熱構造及び該断熱構造を用いた開口部の断熱工法で、施工順序を説明する流れ図である。
【図６】実施の形態の実施例２の開口部の断熱構造で、図２中Ａ−Ａ線に相当する位置での断面図である。
【図７】実施の形態の実施例１の開口部の断熱構造で、図２中Ｂ−Ｂ線に相当する位置での断面図である。
【図８】従来例の開口部の耐火構造で、一般の塗料が塗布されて、塗装層が形成されたサッシ部材の要部の拡大断面図である。
【発明を実施するための形態】
【００３９】
以下、本発明の実施形態について図面を用いて説明する。
【００４０】
図１乃至図７は、本実施の形態の開口部の断熱構造及び該断熱構造を用いた開口部の断熱工法を示すものである。
【００４１】
なお、従来の間口部構造と同一乃至均等な部分については、同一符号を付して説明する。
【００４２】
まず、構成から説明すると、この実施の形態の建物としての住宅１０には、図２に示すように、開口部としての玄関開口部１１及び、複数の窓開口部１２…が設けられている。
【００４３】
このうち、前記玄関開口部１１については、ドア本体１１ａが、回動可能に設けられていて、後述する窓開口部１２のサッシ枠体１２ａと略同様の枠体１１ｂを有して構成されているので、説明を省略する。
【００４４】
また、前記窓開口部１２…には、図３に示すように、住宅１０の開口部１３に装着されるサッシ部材としての窓サッシ部材１４…が、各々設けられている。
【００４５】
この窓サッシ部材１４は、主に、開口部１３の周囲に固着されるアルミニウム等の軽金属製のサッシ枠体１５及び、このサッシ枠体１５に、スライド可動可能に設けられる障子部材としての窓ガラス部材１６，１６及び、雨戸部材１７…とを有して構成されている。
【００４６】
このうち、前記窓ガラス部材１６は、板状の窓ガラス本体１６ａの周囲に、アルミニウム等の軽金属で構成される金属製枠体としての窓枠材１６ｂが、装着されて、主に構成されている。
【００４７】
この窓枠材１６ｂは、例えば、図３に示すように、前記サッシ枠体１５に突設形成された上下レール部１５ａ，１５ｂの延設方向に沿ってスライド自在に係合されている。
【００４８】
そして、各窓ガラス部材１６，１６が、各々独立摺動可能として相互に引き違い可動することにより、前記開口部１３が、開閉塞可能となるように構成されている。
【実施例１】
【００４９】
図３乃至図５は、この発明の実施の形態の実施例１の開口部の断熱構造及び該断熱構造を用いた開口部の断熱工法を示したものである。
【００５０】
なお、前記実施の形態と同一乃至均等な部分については、同一符号を付して説明する。
【００５１】
この実施例１の窓開口部１２に設けられた窓サッシ部材１４の屋内５側の各側面には、前記障子部材としての窓ガラス部材１６，１６の可動範囲を妨げない範囲で、断熱塗料が塗布されて、断熱塗装層２０…が形成されている。
【００５２】
すなわち、この実施例１では、図３及び図４に示すように、前記断熱塗装層２０のうち、一つの断熱塗装層２０ａ…は、前記窓サッシ部材１４のサッシ枠体１５の屋内５側の内周面１５ｃに、屋内５側に位置する上下レール部１５ａ，１５ｂよりも、更に屋内側の表面を、略一周、覆うように設けられている。
【００５３】
また、内，外に位置する各窓ガラス部材１６，１６の窓枠材１６ｂ，１６ｂには、屋内５側側面に、略全周に渡り、他の断熱塗装層２０ｂ，２０ｃが、前記断熱塗装層２０ａと略同一の構成によって形成されている。
【００５４】
すなわち、この実施例１の断熱塗装層２０は、図１に示すように、サッシ部材１の表面１ａに、サンドペーパー等で目荒らしされた塗装面が形成されて、下塗り塗装層１ｂを形成する下塗り塗料が塗布されることにより、塗料の付着性を向上させている。
【００５５】
この下塗り塗装層１ｂの上からは、この実施例１の前記各断熱塗装層２０ａ，２０ｂ，２０ｃを構成する塗布層２１…が積層されている。
【００５６】
この塗布層２１…は、複数回の断熱塗料の塗布により、主に形成されて、乾燥及び塗布を複数回繰り返すことにより、厚さ方向ｈへ重った状態で、硬化されている。
【００５７】
これらの各塗布層２１，…を構成する断熱塗料には、光を反射すると共に、断熱効果を有する中空ビーズ２１ａ…が多数含有されていて、乾燥硬化後の各断熱塗装層２０ａ，２０ｂ，２０ｃには、厚さ方向ｈで複数のこれらの中空ビーズ２１ａ…が、重合位置となるように構成されている。
【００５８】
この実施例１の中空ビーズ２１ａは、前記白色系の塗料に含有されることにより、断熱塗装層２０ａ，２０ｂ，２０ｃ内に含有された状態で、太陽光を約９０％反射し、吸収した熱を９０％放射すると共に断熱効果を発揮するように、内部に中空部２１ｂが各々形成されている砂粒状を呈している。
【００５９】
更に、この実施例１では、前記各断熱塗装層２０ａ，２０ｂ，２０ｃの表面側で、最外層の塗布層２１の外表面には、色彩を前記開口部周囲の色彩と調整する調整仕上げ塗装層２２が設けられている。
【００６０】
この実施例１の調整仕上げ塗装層２２には、高耐摩耗性、高耐候性を有する塗料が用いられている。
【００６１】
そして、これらの各塗布層２１は、一回の塗布で、厚さ方向寸法ｈ１（ｈ１＝約１９０〜３３０μｍ）を有し、複数回の塗布で、ｈ１×塗布回数の厚さ方向寸法ｈが、得られるように構成されている。
【００６２】
次に、この実施の形態の実施例１の開口部の断熱構造の作用効果について、この断熱構造を用いた開口部の断熱工法の施工順序を示す図５のフローチャートに沿って説明する。
【００６３】
この実施例１の既存の住宅１０に設けられた窓開口部１２では、Ｓｔｅｐ１で、断熱施工を開始すると、Ｓｔｅｐ２で、窓開口部１２の周囲に設けられている柱材、床材、壁材等の建材の養生が行われる。
【００６４】
Ｓｔｅｐ３では、対象となる窓サッシ部材１４のサッシ枠体１５が装着されている窓ガラス部材１６が、マスキングテープ等を用いて養生される。
【００６５】
Ｓｔｅｐ４では、サッシ枠体１５の内周面１５ｃ及び窓枠材１６ｂの屋内５側側面が、塗料の付着性を向上させる為に、サンドペーパーによって、図１に示されるように、表面１ａが微細な凹凸を有する状態となるまで、目荒らし加工される。
【００６６】
Ｓｔｅｐ５では、下塗り塗料が塗布されて、下塗り塗装層１ｂが形成される。
【００６７】
Ｓｔｅｐ６では、この下塗り塗料の乾燥により形成された下塗り塗装層１ｂによって、断熱塗料の付着性が向上される。
【００６８】
Ｓｔｅｐ７では、更に、この下塗り塗装層１ｂの表面が、塗料の付着性を向上させる為に、サンドペーパーによって、図１に示されるように、表面１ａが微細な凹凸を有する状態となるまで、目荒らし加工される。
【００６９】
Ｓｔｅｐ８では、前記断熱塗装層２０（２０ａ，２０ｂ，２０ｃ）を構成する塗布層２１が、中空ビーズ２１ａ…を多数含有する断熱塗料を、前記サッシ枠体１５の内周面１５ｃ及び窓枠材１６ｂの屋内５側側面に、塗布することにより形成される。
【００７０】
Ｓｔｅｐ９では、この住宅１０の断熱性能を満足する窓開口部１２となっているかが、前記断熱塗装層２０の厚さ方向寸法ｈによって判定される。
【００７１】
すなわち、前記断熱塗装層２０の厚さ方向寸法ｈが、断熱性能を満足する充足厚に到達している場合には、次のＳｔｅｐ９に進み、到達していない場合には、Ｓｔｅｐ７で目荒らしを行うか若しくは行わないで、Ｓｔｅｐ８に戻り、再度、断熱塗料を塗布することにより、塗布層２１を、前回形成された塗布層２１の上から積層するように形成する。
【００７２】
断熱性能を満足する充足厚に到達したことを確認した後、Ｓｔｅｐ１０では、調整仕上げ塗装層２２を形成する仕上げ塗料が、図１に示す最外側面に位置する塗布層２１の上から塗布される。
【００７３】
Ｓｔｅｐ１１では、調整仕上げ塗装層２２の養生乾燥後、窓サッシ部材１４の周囲に養生が撤去されて、Ｓｔｅｐ１２で、リフォームを含む改修施工が終了する。
【００７４】
この実施例１の開口部の断熱構造では、前記窓サッシ部材１４に塗布された断熱塗装層２０によって、住宅１０の玄関開口部１１及び窓開口部１２の断熱が行われる。
【００７５】
前記窓開口部１２に用いられる断熱塗装層２０は、前記ドア本体１１ａ若しくは、窓ガラス部材１６，１６の可動範囲を妨げない範囲で、断熱塗料を塗布する施工により、適宜、形成される。
【００７６】
例えば、図３に示すように、前記窓サッシ部材１４が、アルミニウム等の軽金属によって構成されて、熱伝導率が高くても、前記窓ガラス部材１６の窓枠材１６ｂに設けられた断熱塗装層２０ｂと重複して位置する部分から、サッシ枠体１５の内周面１５ｃの屋内５側の端縁に至るまで、全ての屋内５側に露出する表面を、断熱塗装層２０ａによって、覆うことが出来、直接、屋内５の空気が、軽金属製の窓サッシ部材１４に接触する面積を減少させることができる。
【００７７】
このため、断熱塗料の塗布により、断熱塗装層２０で覆われた軽金属製の窓サッシ部材１４では、軽金属部分を介して、屋内外に伝達される熱量を効率的に減少させることが出来る。
【００７８】
更に、この実施例１では、屋外３側の窓ガラス部材１６に設けられた窓枠材１６ｂの断熱塗装層２０ｃが塗装により、形成されるので、所望の断熱性能を得られる厚さ寸法ｈとしても、充分に、屋内５側の窓ガラス部材１６と干渉しないように、間隔を設けることが出来る。
【００７９】
また、塗装により、略施工が完了するので、別途、断熱材料を、改修施工現場で形状加工して適用するものに比して、施工性が良好である。
【００８０】
更に、図１に示すように、各断熱塗装層２０ａ，２０ｂ，２０ｃに含まれる複数の中空ビーズ２１ａ…が、厚さ方向ｈで、多数個、重合位置となっている。しかも、この実施例１では、塗布層２１…が、重ね塗りされることにより、乾燥硬化後、厚さ方向ｈで、多数個の中空ビーズ２１ａ…が、重合位置となる。
【００８１】
このため、一層では、塗りムラにより、中空ビーズ２１ａの分布が偏ってしまう場合でも、略均等に、中空ビーズ２１ａ…の表面密度を整えることが出来、熱及び太陽光を、通過させる確率が少なく、殆どの光を反射すると共に、断熱効果を発揮させることができる。
【００８２】
しかも、最も表面側に位置する調整仕上げ塗装層２２の塗装色を調整するだけで、開口部の周囲の建具等の色彩と合わせることが出来、施工後の外観品質も良好なものとすることが出来る。
【００８３】
また、前記窓ガラス部材１６又は、雨戸部材１７の可動範囲を妨げない範囲で、塗布により断熱塗装層２０ａ〜２０ｃが、必要充分な厚さ方向寸法ｈにより、高さを抑えて形成されているので、窓開口部１２の開閉性を損なう虞が無い。
【００８４】
よって、容易に、断熱性を向上させて、結露及びエネルギーロスの発生を防止出来る。
【００８５】
更に、図１に示すように、前記断熱塗装層２０が、一回の塗布により、略同一の厚さ寸法ｈ１を有し、同様に塗布を繰り返すことより、複数層の塗布層２１，２１を重ねて構成できるので、厚さ寸法ｈの調整が容易に行えて、必要となる断熱性能を容易に得られる。
【００８６】
しかも、この実施例１では、図１に示すように、塗布層２１の表面、及び塗布層２１と、塗布により積層された塗布層２１との間に形成される硬質反射面２１ｃ…が、先に塗布された塗布層２１の乾燥養生により、表面を覆う硬質面状の硬化樹脂層を構成している。
【００８７】
このため、更に、熱が、これらの各硬質反射面２１ｃ，２１ｃ…で、各々反射されて、伝導されにくくなり、サッシ部材１へ伝導される熱量６を更に減少させることができる。
【００８８】
そして、最も外層の硬質反射面２１ｃで反射された熱量は、下層の塗布層２１…及びサッシ部材１へ吸熱及び蓄熱されないので、更に、断熱性能を良好なものとすることが出来る。
【００８９】
また、図１に示すように、前記断熱塗装層２０に含有された中空ビーズ２１ａ…が、厚さｈ方向で、多数積層されて、太陽光を反射すると共に、中空部２１ｂ内の気体による断熱効果を発揮する。
【００９０】
このため、太陽光に含まれる赤外線波長領域の光によって、断熱塗装層２０内の温度が上昇する虞が無く、この断熱塗装層２０で覆われた前記窓サッシ部材１４を介して、建物内外に伝導される熱量を減少させることができる。
【００９１】
そして、前記断熱塗装層２０の表面側に設けられた調整仕上げ塗装層２２には、断熱性を損なわずに、様々な色彩を与えることができる。
【００９２】
このため、調整仕上げ塗装層２２の色彩を前記窓開口部１２の周囲の色彩と、例えば、近似するように、或いは、違和感の無いように調整することが可能である。
【００９３】
しかも、前記断熱塗装層２０は、如何なる色彩を有していても、表面に設けられた調整仕上げ層２２に隠れて見えないので、外観品質を良好なものとすることができる。
【００９４】
従って、反射する光の領域、吸熱した熱を放出する光の領域に、対応した色彩を前記断熱塗装層２０を構成する塗料に与えることが可能となり、更に、断熱性を良好なものとすることができる。
【００９５】
また、この実施の形態では、前記塗布層２１，２１内に含有される複数の中空ビーズ２１ａ…が、顆粒状であっても、前記表面に設けられた調整仕上げ塗装層２２に隠れて見えないので、外観品質を良好なものとすることができる。
【００９６】
このため、中空ビーズ２１ａ…の大きさ、形状及び色彩等の自由度を増大させることが出来、外観に関わらず、最も断熱性能の良好な中空ビーズ２１ａ…を用いることができる。
【００９７】
しかも、断熱塗装層２０を構成する塗布層２１，２１の塗料色及び、中空ビーズ２１ａ…の色彩は、何れの開口部に用いる場合でも、一色で良く、開口部の色彩に合わせたバリエーションを用意する必要が無い。
【００９８】
このため、更に、施工コストの上昇を抑制出来る。
【００９９】
更に、この実施例１では、既存の住宅１０の窓開口部１２に装着されている窓サッシ部材１４であっても、断熱塗料が塗布されることにより、容易に前記断熱塗装層２０を形成することが出来る。
【０１００】
このため、リフォーム等の既存の建物の改修工事を行う際にも、前記サッシ枠体１５に、窓ガラス部材１６を装着したまま、若しくは、窓ガラス部材１６をサッシ枠体１５から取り外すだけで、分解する必要が無く、断熱塗料を、これらの窓サッシ部材１４の金属表面部分に塗布すれば良い。
【０１０１】
従って、玄関開口部１１或いは、窓開口部１２に設けられている玄関ドアや、窓サッシ部材１４を分解、組立したり、或いは、他の断熱部材の形状を、これらの玄関ドアや、窓サッシ部材１４の形状に適合させて、装着する等の工程数を減少させて、容易に、開口部に断熱構造を与えることが出来る。
【実施例２】
【０１０２】
図６及び図７は、この実施の形態の実施例２の開口部の断熱構造及び該断熱構造を用いた開口部の断熱工法を示すものである。
【０１０３】
なお、前記実施の形態及び実施例１と同一乃至均等な部分については、同一符号を付して説明する。
【０１０４】
まず、構成から説明すると、この実施例２の開口部の断熱構造では、窓開口部１２に設けられた窓サッシ部材１４の屋外３側の各側面には、前記障子部材としての窓ガラス部材１６，１６の可動範囲を妨げない範囲で、断熱塗料が塗布されて、断熱塗装層２０…が形成されている。
【０１０５】
すなわち、この実施例２では、図６及び図７に示すように、前記断熱塗装層２０のうち、一つの断熱塗装層２０ｄ…は、前記窓サッシ部材１４のサッシ枠体１５の屋外３側外側面１５ｄ及び外側内周面１５ｅに渡り、屋外３側に位置する上下レール部１５ａ，１５ｂよりも、更に屋外側の表面を、略一周、覆うように設けられている。
【０１０６】
また、内，外に位置する各窓ガラス部材１６，１６の窓枠材１６ｂ，１６ｂには、屋外側側面に、略全周に渡り、他の断熱塗装層２０ｅ，２０ｆが、前記断熱塗装層２０ｄと略同一の構成によって形成されている。
【０１０７】
このように構成された実施例２記載の開口部の断熱構造では、前記実施例１の作用効果に加えて、更に、前記調整仕上げ塗装層２２に、高耐摩耗性、高耐候性を有する塗料が用いられることにより、前記断熱塗装層２０が、保護される。
【０１０８】
このため、前記塗布層２１，２１内に含有される複数の中空ビーズ２１ａ…が、耐候性に劣り、劣化しやすかったり、或いは、摩耗性が劣る材質で形成されていても、前記表面に設けられた調整仕上げ塗装層２２によって保護される。
【０１０９】
従って、中空ビーズ２１ａ…の材質や、中空部２１ｂの大きさ、形状等の自由度を増大させることが出来、耐久性に関わらず、最も断熱性能の良好な中空ビーズ２１ａ…を用いることができる。
【０１１０】
しかも、この実施例２では、図１に示すように、塗布層２１の表面、及び塗布層２１と、塗布により積層された塗布層２１との間に、乾燥養生により、硬質の硬化樹脂層からなる複数の硬質反射面２１ｃ…が、形成されている。
【０１１１】
このため、これらの各硬質反射面２１ｃ…によって、太陽光が反射されることにより、熱がサッシ部材１へ伝導されにくくなると共に、下層に積層された塗布層２１への汚れ浸透防止及び損傷からの保護を図ることができる。
【０１１２】
上述してきたように、本願発明は、施工性が良好で、施工後の外観品質も良好なものとすることが出来、また、開口部の開閉性を損なうことなく、断熱性を向上させることが、出来、既存の建物の改修工事に用いて好適な開口部の断熱構造を提供する。
【０１１３】
他の構成及び作用効果については、前記実施の形態及び実施例１と同一乃至均等であるので説明を省略する。
【０１１４】
以上、この発明の実施の形態及び実施例１、２を図示により説明してきたが、具体的な構成は、これらの実施の形態及び実施例１、２に限らず、この発明の要旨を逸脱しない範囲の設計の変更があっても、この発明に含まれる。
【０１１５】
例えば、前記実施例１では、前記サッシ部材の断熱塗装層２０が形成される部分として、窓サッシ部材１４を構成するサッシ枠体１５の屋内５側に、また、前記実施例２では、サッシ枠体１５の屋外３側に、断熱塗料が塗布されて、各々形成されているが、特にこれに限らず、例えば、サッシ枠体１５の屋外３側及び屋内５側の双方に、前記断熱塗装層２０，２０を各々形成しても、前記窓ガラス部材１６の可動範囲を妨げない範囲であればよい。
【０１１６】
また、前記実施例１では、前記サッシ部材の断熱塗装層２０が塗布される部分として、前記窓ガラス部材１６，１６の窓枠材１６ｂ，１６ｂの屋内５側側面に、また、実施例２では、窓枠材１６ｂ，１６ｂの屋外３側側面に、各々断熱塗料が塗布されて、前記断熱塗装層２０，２０が各々形成されているが、特にこれに限らず、例えば、窓枠材１６ｂ，１６ｂの屋外３側及び屋内５側の双方に、各々断熱塗料が塗布されて、前記断熱塗装層２０，２０が形成されていてもよく、前記窓ガラス部材１６の可動範囲を妨げない範囲であればよい。
【０１１７】
そして、この実施の形態及び実施例１、２では、スライド可動する障子部材としての窓ガラス部材１６に、塗布により形成される断熱塗装層２０を適用したものを示して説明してきたが、特にこれに限らず、例えば、回動軸を有するウイング窓、押し出し窓、回転窓、上下方向スライド窓や或いは、窓ガラス本体１６ａの周縁が、直接、金属製枠体としてのサッシ枠体１５に、固定される所謂嵌め殺し窓等に適用しても良く、嵌め殺し窓の場合、障子部材等の可動部分が存在しないので、可動範囲を妨げることはないが、屋内５側に装着されるブラインド部材やカーテン等の開閉の妨げにならないという実用上有益な効果を発揮する。
【０１１８】
また、この実施の形態及び実施例１、２では、窓サッシ部材１４のうち、開口部１３の周囲に固着されるアルミニウム等の軽金属製のサッシ枠体１５及び、このサッシ枠体１５に、スライド可動可能に設けられる障子部材としての窓ガラス部材１６，１６に、前記断熱塗装層２０，２０が各々形成されているが、特にこれに限らず、例えば、前記サッシ枠体１５又は、窓ガラス部材１６，１６のうち、一方若しくは、雨戸部材１７…に、断熱塗装層２０が形成されていてもよい。
【０１１９】
このうち、前記窓ガラス部材１６は、板状の窓ガラス本体１６ａの周囲に、アルミニウム等の軽金属で構成される窓枠材１６ｂを装着し更に、実施の形態では、前記白色系の断熱塗料に混合されることにより、断熱塗装層２０ａ，２０ｂ，２０ｃ内に含有された状態で、太陽光を約９０％反射し、吸収した熱を９０％放射すると共に断熱効果を発揮するように、前記中空ビーズ２１ａ…が、構成されているが、特にこれに限らず、例えば、黒色系の断熱塗料に混合して、太陽光を３９％（赤外線を高反射）するようにしても良く、ベース塗料となる断熱塗料の色彩や、反射、放射、吸熱率等が特に限定されるものではない。
【符号の説明】
【０１２０】
３        屋外
５        屋内
１０      住宅（建物）
１２      窓開口部
１４      窓サッシ部材（サッシ部材）
１５      サッシ枠体
１６      窓ガラス部材（障子部材）
１６ａ    窓ガラス本体
１６ｂ    窓枠材（金属製枠体）
１７      雨戸部材（障子部材）
２０，２０ａ〜２０ｆ    断熱塗装層
２１      塗布層
２１ａ…  中空ビーズ
２１ｂ…  中空部
２２      調整仕上げ塗装層
【図１】
2010248852.tif 000003
【図２】
2010248852.tif 000004
【図３】
2010248852.tif 000005
【図４】
2010248852.tif 000006
【図５】
2010248852.tif 000007
【図６】
2010248852.tif 000008
【図７】
2010248852.tif 000009
【図８】
2010248852.tif 000010